【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
女性の足を受容するための内側部分であって、爪先キャビティおよびヒールキャビティを備える内側部分を形成するアッパーと、
（i）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、  前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、を備える靴であって、
（i）前記ミッドソールの前記第１表面の前記ヒール部分に縫い合わされた前記ヒール
アウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（i）前記ヒールアウトソールパッチと前記爪先アウトソールパッチとが同
一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（i）前記インソールは前記アッパーまたは前記ミッドソールに縫い合わされず、
（ii）前記ヒールアウトソールパッチおよび前記爪先アウトソールパッチは、それぞれエラストマーから作製される、靴。
【請求項２】
前記ミッドソールは皮革製である、請求項１に記載の靴。
【請求項３】
前記内側部分の前記底部は発泡インレイをさらに備え、前記インソールは接着剤により前記発泡インレイに固定される、請求項１に記載の靴。
【請求項４】
前記内側部分は、前記ミッドソールの第２表面の前記ヒール部分に接着されたクッションインサートをさらに備える、請求項１に記載の靴。
【請求項５】
前記ミッドソールは、ヒール部分および爪先部分を有する第２表面を備え、
前記内側部分は、前記ミッドソールの第２表面の前記ヒール部分に接着されたクッションインサートをさらに備え、
前記発泡インレイは（i）クッションインサートおよび（ii）前記ミッドソールの前記
第２表面の前記爪先部分に接着されている、請求項３に記載の靴。
【請求項６】
前記クッションインサートは、第１端部および第２端部により特徴付けられ、
前記クッションインサートの前記第１端部は前記ヒール部分の第１部分に接着され、前記クッションインサートの前記第２端部は前記ヒール部分の第２部分に接着され、前記ヒール部分の前記第１部分は、前記ヒール部分の前記第２部分よりも、前記ミッドソールの前記第２表面の前記爪先部分に近く、
前記クッションインサートの前記第１端部は、前記クッションインサートの前記第２端部よりも薄い、請求項４に記載の靴。
【請求項７】
前記クッションインサートは、前記ミッドソールの前記爪先部分から最も近い前記クッションインサートの部分が、前記ミッドソールの前記爪先部分から最も遠い前記クッションインサートの部分よりも薄くなるよう、前記ミッドソールの前記第２表面の前記爪先部分からの距離の関数として前記インサートに沿って厚くなる、請求項４に記載の靴。
【請求項８】
前記クッションインサートはエチレンビニルアセテート・タイプまたはポリウレタン・タイプの材料を含む、請求項４に記載の靴。
【請求項９】
前記クッションインサートは４５〜７０のショアＡ硬度を有する、請求項４に記載の靴。
【請求項１０】
前記クッションインサートは６０〜７０のショアＡ硬度を有する、請求項４に記載の靴。
【請求項１１】
前記クッションインサートは０．３０ｇ／ｃｍ３〜０．７ｇ／ｃｍ３の密度を有する、請求項４に記載の靴。
【請求項１２】
少なくとも３／６４インチの深度を有する第１溝部が前記ヒールアウトソールパッチの外辺部に近接して形成され、前記ヒールアウトソールパッチは、前記第１溝部を占める第１糸を用いて、前記ミッドソールの前記第１表面の前記ヒール部分に縫い合わされ、
少なくとも３／６４インチの深度を有する第２溝部が前記爪先アウトソールパッチの外辺部に近接して形成され、前記爪先アウトソールパッチは、前記第２溝部を占める第２糸を用いて、前記ミッドソールの前記第１表面の前記爪先部分に縫い合わされる、請求項１に記載の靴。
【請求項１３】
前記アッパーは、第１端部および第２端部を有する一体として形成され、前記第１端部および前記第２端部は前記ヒールキャビティにおいて第２シームによって一体化される、請求項１に記載の靴。
【請求項１４】
前記アッパーは、（i）第１端部、（ii）第２端部、（iii）第１縁部、および（iv）第２縁部を有する一体として形成され、
前記第１端部および前記第２端部は前記ヒールキャビティにおいて第２シームによって一体化され、
前記第１縁部は前記ミッドソールの前記外辺部に縫い合わされ、それにより前記内側部分に対して前記底部が形成され、
前記第２縁部の第１部分は弾性制限部により特徴付けられ、前記第２縁部の前記第１部分は前記ヒールキャビティまで延びていない、請求項１に記載の靴。
【請求項１５】
前記第２縁部の第２部分は、前記ヒールキャビティに対して上方境界を提供するアキレスクッションにより特徴付けられる、請求項１４に記載の靴。
【請求項１６】
前記アッパーは、第１端部および第２端部を有する一体として形成され、
前記第１端部および前記第２端部は前記ヒールキャビティにおいて第２シームによって一体化され、
半月形ピースが前記第２シームの下方部分を覆う、請求項１に記載の靴。
【請求項１７】
前記爪先アウトソールパッチの後部コーナーは前記第１シームの一部分の１／４インチ内にある、請求項１に記載の靴。
【請求項１８】
前記爪先アウトソールパッチの後部コーナーは前記第１シームの一部分の３／１６インチ内にある、請求項１に記載の靴。
【請求項１９】
前記爪先アウトソールパッチの前部コーナーは前記第１シームの一部分の１／４インチ内にある、請求項１に記載の靴。
【請求項２０】
前記ヒールアウトソールパッチの後部コーナーは前記第１シームの一部分の３／１６インチ内にある、請求項１に記載の靴。
【請求項２１】
前記ヒールアウトソールパッチの後部コーナーは前記第１シームの一部分の１／４インチ内にある、請求項１に記載の靴。
【請求項２２】
前記爪先アウトソールパッチまたは前記ヒールアウトソールパッチは０．８〜１．５の耐久性係数を有する、請求項１に記載の靴。
【請求項２３】
前記爪先アウトソールパッチまたは前記ヒールアウトソールパッチは１．０〜１．３の耐久性係数を有する、請求項１に記載の靴。
【請求項２４】
前記ヒールアウトソールパッチおよび前記爪先アウトソールパッチはそれぞれ少なくとも３／３２インチの厚みを有する、請求項１に記載の靴。
【請求項２５】
前記ヒールアウトソールパッチおよび前記爪先アウトソールパッチはそれぞれ少なくとも５／３２インチの厚みを有する、請求項１に記載の靴。
【請求項２６】
前記間隔は４／８インチ〜６／８インチである、請求項１に記載の靴。
【請求項２７】
前記間隔は約５／８インチである、請求項１に記載の靴。
【請求項２８】
水平面上に立つ女性の足に靴が着用された場合、前記ヒールアウトソールパッチの側部は水平面から少なくとも４５度の角度で見える、請求項１に記載の靴。
【請求項２９】
水平面上に立つ女性の足に靴が着用された場合、前記爪先アウトソールパッチの側部は水平面から少なくとも４５度の角度で見える、請求項１に記載の靴。
【請求項３０】
前記ヒールアウトソールパッチにより画定され且つ前記ミッドソールおよび前記インソールの対応する部分を備える靴の領域は０．４０キログラム重／インチ〜０．７０キログラム重／インチのばね定数を有する、請求項１に記載の靴。
【請求項３１】
女性の足を受容するための内側部分であって、爪先キャビティおよびヒールキャビティを備える内側部分を形成するアッパーと、
（i）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、  前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、を備える靴であって、
（i）前記ミッドソールの前記第１表面の前記ヒール部分に縫い合わされた前記ヒール
アウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（i）前記ヒールアウトソールパッチと前記爪先アウトソールパッチとが同
一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（i）前記インソールは前記アッパーに縫い合わされず、
（ii）前記ヒールアウトソールパッチにより画定され且つ前記ミッドソールおよび前記インソールの対応する部分を備える靴の領域は、０．４０キログラム重／インチ〜０．７０キログラム重／インチのばね定数を有する、靴。
【請求項３２】
女性の足を受容するための内側部分であって、爪先キャビティおよびヒールキャビティを備える内側部分を形成するアッパーと、
（i）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、  前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、を備える靴であって、
（i）前記ミッドソールの前記第１表面の前記ヒール部分に縫い合わされた前記ヒール
アウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（i）前記ヒールアウトソールパッチと前記爪先アウトソールパッチとが同
一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（i）前記インソールは前記アッパーに縫い合わされず、
（ii）前記爪先アウトソールパッチの後部コーナーは前記第１シームの一部分の１／４インチ内にある、靴。
【請求項３３】
女性の足を受容するための内側部分であって、爪先キャビティおよびヒールキャビティを備える内側部分を形成するアッパーと、
（i）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、
前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、を備える靴であって、
（i）前記ミッドソールの前記第１表面の前記ヒール部分に縫い合わされた前記ヒール
アウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（i）前記ヒールアウトソールパッチと前記爪先アウトソールパッチとが同
一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（i）前記インソールは前記アッパーに縫い合わされず、
（ii）少なくとも３／６４インチの深度を有する第１溝部が前記ヒールアウトソールパッチの外辺部に近接して形成され、前記ヒールアウトソールパッチは、前記第１溝部を占める第１糸を用いて、前記ミッドソールの前記第１表面の前記ヒール部分に縫い合わされ、
（iii）少なくとも３／６４インチの深度を有する第２溝部が前記爪先アウトソールパ
ッチの外辺部に近接して形成され、前記爪先アウトソールパッチは、前記第２溝部を占める第２糸を用いて、前記ミッドソールの前記第１表面の前記爪先部分に縫い合わされる、靴。
【請求項３４】
女性の足を受容するための内側部分であって、爪先キャビティおよびヒールキャビティを備える内側部分を形成するアッパーと、
（i）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、  前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、を備える靴であって、
（i）前記ミッドソールの前記第１表面の前記ヒール部分に縫い合わされた前記ヒール
アウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（i）前記ヒールアウトソールパッチと前記爪先アウトソールパッチとが同
一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（i）前記ヒールアウトソールパッチにより画定され且つ前記ミッドソールおよび前記インソールの対応する部分を備える靴の領域は、０．４５キログラム重／インチ〜０．５５キログラム重／インチのばね定数を有し、
(ii)前記爪先アウトソールパッチまたは前記ヒールアウトソールパッチは０．８〜１．５の耐久性係数を有する、靴。
【請求項３５】
靴の製造方法であって、
（Ａ）ミッドソールの第１表面のヒール部分にヒールアウトソールパッチを縫い合わせることと、
（Ｂ）前記ミッドソールの前記第１表面の爪先部分に爪先アウトソールパッチを縫い合わせることと、
（Ｃ）前記ミッドソールの第２表面の前記ヒール部分にクッションインサートを固定することと、
（Ｄ）女性の足を受容するための内側部分であって、爪先キャビティおよびヒールキャビティを備える内側部分を形成するアッパーを、（i）爪先端部、（ii）ヒール端部、（iii）内側側部、および（iv）外側側部を有する前記ミッドソールに縫い合わせることであって、縫い合わせること（Ｄ）により、前記ミッドソールの外辺部は前記アッパーに縫い合わされ、それにより、第１シームにより囲まれた前記内側部分に対する底部が形成されることと、
（Ｅ）接着剤により前記内側部分の前記底部にインソールを固定することと、を含み、  前記縫い合わせること（Ａ）および前記縫い合わせること（Ｂ）は、（i）前記ミッドソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔を形成し、前記間隔は、前記内側側部から前記外側側部まで延長し、前記爪先端部と前記ヒール端部との中間の位置を占め、それにより前記靴全体は前記内側側部と前記外側側部との間に延びる前記間隔における軸を中心に折り畳みが可能であり、
前記靴は、（i）前記ヒールアウトソールパッチと前記爪先アウトソールパッチとが同
一平面上または略同一平面上にある伸展状態と、（ii）前記爪先キャビティを含む前記アッパーの部分が前記ヒールキャビティに押し込まれるよう前記靴が前記軸を中心に折り曲げられた折畳状態と、の間で折り畳まれるよう構成され、
（i）前記インソールは前記アッパーまたは前記ミッドソールに縫い合わされず、
（ii）前記ヒールアウトソールパッチおよび前記爪先アウトソールパッチは、それぞれエラストマーから作製される、方法。
【請求項３６】
靴の製造方法であって、
（Ａ）ミッドソールの第１表面のヒール部分にヒールアウトソールパッチを縫い合わせることと、
（Ｂ）前記ミッドソールの前記第１表面の爪先部分に爪先アウトソールパッチを縫い合わせることと、
（Ｃ）女性の足を受容するための内側部分であって、爪先キャビティおよびヒールキャビティを備える内側部分を形成するアッパーを、（i）爪先端部、（ii）ヒール端部、（iii）内側側部、および（iv）外側側部を有する前記ミッドソールに縫い合わせることであって、縫い合わせること（Ｃ）により、前記ミッドソールの外辺部は前記アッパーに縫い合わされ、それにより、第１シームにより囲まれた前記内側部分に対する底部が形成されることと、
（Ｄ）接着剤により前記内側部分の前記底部にインソールを固定することと、を含み、  前記縫い合わせること（Ａ）および前記縫い合わせること（Ｂ）は、（i）前記ミッド
ソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔を形成し、前記間隔は、前記内側側部から前記外側側部まで延長し、前記爪先端部と前記ヒール端部との中間の位置を占め、それにより前記靴全体は前記内側側部と前記外側側部との間に延びる前記間隔における軸を中心に折り畳みが可能であり、
前記靴は、（i）前記ヒールアウトソールパッチと前記爪先アウトソールパッチとが同
一平面上または略同一平面上にある伸展状態と、（ii）前記爪先キャビティを含む前記アッパーの部分が前記ヒールキャビティに押し込まれるよう前記靴が前記軸を中心に折り曲げられた折畳状態と、の間で折り畳まれるよう構成され、
（i）前記ヒールアウトソールパッチにより画定され且つ前記ミッドソールおよび前記
インソールの対応する部分を備える前記靴の領域は、０．４５キログラム重／インチ〜０．５５キログラム重／インチのばね定数を有し、
(ii)前記爪先アウトソールパッチまたは前記ヒールアウトソールパッチは０．８〜１．５の耐久性係数を有する、方法。
【請求項３７】
靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きい、請求項１〜３０のいずれか１項に記載の靴。
【請求項３８】
女性の足を受容するための内側部分であって、爪先キャビティおよびヒールキャビティを備える内側部分を形成するアッパーと、
（i）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、  前記ミッドソールの第１表面のヒール部分に縫い合わされたヒールアウトソールパッチと、
前記ミッドソールの前記第１表面の爪先部分に縫い合わされた爪先アウトソールパッチと、
前記内側部分の前記底部に固定されたインソールと、を備える靴であって、
（Ａ）（i）前記ミッドソールの前記第１表面の前記ヒール部分に縫い合わされた前記
ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
（Ｂ）前記靴は、（i）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（Ｃ）靴は最大アウトソール比ＯＲを有し、ただし
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きい、靴。
【請求項３９】
前記アウトソール比は７．０〜９．０である、請求項３８に記載の靴。
【請求項４０】
前記アウトソール比は７．６より大きい、請求項３８に記載の靴。
【請求項４１】
前記アウトソール比は８．０より大きい、請求項３８に記載の靴。
【請求項４２】
前記アウトソール比は８．４より大きい、請求項３８に記載の靴。
【請求項４３】
Ｄは２．０ｍｍ〜４．０ｍｍである、請求項３８に記載の靴。
【請求項４４】
Ｔは３．０ｍｍ〜１０．０ｍｍである、請求項３８に記載の靴。
【請求項４５】
Ｗは６０ｍｍ〜８９ｍｍである、請求項３８に記載の靴。
【請求項４６】
Ｍは７０ｍｍ〜９３ｍｍである、請求項３８に記載の靴。
【請求項４７】
女性の足を受容するための内側部分であって、爪先キャビティおよびヒールキャビティを備える内側部分を形成するアッパーと、
（i）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、  前記ミッドソールの第１表面のヒール部分に縫い合わされたヒールアウトソールパッチと、
前記ミッドソールの前記第１表面の爪先部分に縫い合わされた爪先アウトソールパッチと、
接着剤により前記内側部分の前記底部に固定されたインソールと、を備える靴であって、
（i）前記ミッドソールの前記第１表面の前記ヒール部分に縫い合わされた前記ヒール
アウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（i）前記ヒールアウトソールパッチと前記爪先アウトソールパッチとが同
一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（Ａ）前記ヒールアウトソールパッチにより画定され且つ前記ミッドソールおよび前記インソールの対応する部分を備える靴の領域は０．４０キログラム重／インチ〜０．７０キログラム重／インチのばね定数を有し、
（Ｂ）靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きい、靴。
【請求項４８】
女性の足を受容するための内側部分であって、爪先キャビティおよびヒールキャビティを備える内側部分を形成するアッパーと、
（i）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、  前記ミッドソールの第１表面のヒール部分に縫い合わされたヒールアウトソールパッチと、
前記ミッドソールの前記第１表面の爪先部分に縫い合わされた爪先アウトソールパッチと、
前記内側部分の前記底部に固定されたインソールと、を備える靴であって、
（i）前記ミッドソールの前記第１表面の前記ヒール部分に縫い合わされた前記ヒール
アウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（i）前記ヒールアウトソールパッチと前記爪先アウトソールパッチとが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（i）前記爪先アウトソールパッチの後部コーナーは前記第１シームの部分の１／４イ
ンチ内にあり、
（ii）靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きい、靴。
【請求項４９】
女性の足を受容するための内側部分であって、爪先キャビティおよびヒールキャビティを備える内側部分を形成するアッパーと、
（i）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、  前記ミッドソールの第１表面のヒール部分に縫い合わされたヒールアウトソールパッチと、
前記ミッドソールの前記第１表面の爪先部分に縫い合わされた爪先アウトソールパッチと、
前記内側部分の前記底部に固定されたインソールと、を備える靴であって、
（i）前記ミッドソールの前記第１表面の前記ヒール部分に縫い合わされた前記ヒール
アウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隔における軸を中心に折り畳みが可能であり、
前記靴は、（i）前記ヒールアウトソールパッチと前記爪先アウトソールパッチとが同
一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（i）前記ヒールアウトソールパッチにより画定され且つ前記ミッドソールおよび前記
インソールの対応する部分を備える靴の領域は０．４５キログラム重／インチ〜０．５５キログラム重／インチのばね定数を有し、
（ii）前記爪先アウトソールパッチまたは前記ヒールアウトソールパッチは０．８〜１．５の耐久性係数を有し、
（iii）靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きい、靴。
【請求項５０】
靴の製造方法であって、
（Ａ）ミッドソールの第１表面のヒール部分にヒールアウトソールパッチを縫い合わせることと、
（Ｂ）前記ミッドソールの前記第１表面の爪先部分に爪先アウトソールパッチを縫い合わせることと、
（Ｃ）前記ミッドソールの第２表面の前記ヒール部分にクッションインサートを固定することと、
（Ｄ）女性の足を受容するための内側部分であって、爪先キャビティおよびヒールキャビティを備える内側部分を形成するアッパーを、（i）爪先端部、（ii）ヒール端部、（iii）内側側部、および（iv）外側側部を有する前記ミッドソールに縫い合わせることであって、縫い合わせること（Ｄ）により、前記ミッドソールの外辺部は前記アッパーに縫い合わされ、それにより、第１シームにより囲まれた前記内側部分に対する底部が形成されることと、
（Ｅ）前記内側部分の前記底部にインソールを固定することと、を含み、
前記縫い合わせること（Ａ）および前記縫い合わせること（Ｂ）は、（i）前記ミッド
ソールの前記第１表面の前記ヒール部分に縫い合わされた前記ヒールアウトソールパッチと、（ii）前記ミッドソールの前記第１表面の前記爪先部分に縫い合わされた前記爪先アウトソールパッチと、の間に間隔を形成し、前記間隔は、前記内側側部から前記外側側部まで延長し、前記爪先端部と前記ヒール端部との中間の位置を占め、それにより前記靴全体は前記内側側部と前記外側側部との間に延びる前記間隔における軸を中心に折り畳みが可能であり、
前記靴は、（i）前記ヒールアウトソールパッチと前記爪先アウトソールパッチとが同
一平面上または略同一平面上にある伸展状態と、（ii）前記爪先キャビティ含む前記アッパーの部分が前記ヒールキャビティに押し込まれるよう前記靴が前記軸を中心に折り曲げられた折畳状態と、の間で折り畳まれるよう構成され、前記靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、前記靴の前記ＯＲ比は７．０より大きい、方法。
【請求項５１】
Ｔは５．０ｍｍより大きい、請求項３８に記載の靴。
【請求項５２】
Ｔは８．０ｍｍより大きい、請求項３８に記載の靴。
【請求項５３】
前記爪先アウトソールパッチは５．０ｍｍを超える厚みを有する、請求項１に記載の靴。
【請求項５４】
Ｄは２．０ｍｍより小さい、請求項３８に記載の靴。
【請求項５５】
靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きく、靴は、表１に説明される女性用靴寸法のうちのいずれかから選択された女性用靴寸法を有し、Ｄ、Ｔ、Ｗ、およびＭに対する値は前記選択された女性用靴寸法に対して表１に与えられた、
請求項１〜３０のいずれか１項に記載の靴。
【請求項５６】
女性の足を受容するための内側部分であって、爪先キャビティおよびヒールキャビティを備える内側部分を形成するアッパーと、
（i）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、  前記ミッドソールの第１表面のヒール部分に縫い合わされたヒールアウトソールパッチと、
前記ミッドソールの前記第１表面の爪先部分に縫い合わされた爪先アウトソールパッチと、
前記内側部分の前記底部に固定されたインソールと、を備える靴であって、
（Ａ）（i）前記ミッドソールの前記第１表面の前記ヒール部分に縫い合わされた前記
ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隙における軸を中心に折り畳みが可能であり、
（Ｂ）前記靴は、（i）前記ヒールアウトソールパッチと前記爪先アウトソールパッチ
とが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（Ｃ）靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きく、靴は、表１に説明される女性用靴寸法のうちのいずれかから選択された女性用靴寸法を有し、Ｄ、Ｔ、Ｗ、およびＭに対する値は前記選択された女性用靴寸法に対して表１に与えられた、靴。
【請求項５７】
靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きく、靴は、表１で説明される女性用靴寸法のうちのいずれかから選択された女性用靴寸法を有し、Ｄ、Ｔ、Ｗ、およびＭに対する値は前記選択された女性用靴寸法に対して表２に与えられた、請求項１〜３０のいずれか１項に記載の靴。
【請求項５８】
女性の足を受容するための内側部分であって、爪先キャビティおよびヒールキャビティを備える内側部分を形成するアッパーと、
（i）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、  前記ミッドソールの第１表面のヒール部分に縫い合わされたヒールアウトソールパッチと、
前記ミッドソールの前記第１表面の爪先部分に縫い合わされた爪先アウトソールパッチと、
前記内側部分の前記底部に固定されたインソールと、を備える靴であって、
（Ａ）（i）前記ミッドソールの前記第１表面の前記ヒール部分に縫い合わされた前記
ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隙における軸を中心に折り畳みが可能であり、
（Ｂ）前記靴は、（i）前記ヒールアウトソールパッチと前記爪先アウトソールパッチ
とが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（Ｃ）靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きく、靴は、表１で説明される女性用靴寸法のうちのいずれかから選択された女性用靴寸法を有し、Ｄ、Ｔ、Ｗ、およびＭに対する値は前記選択された女性用靴寸法に対して表２に与えられた、靴。
【請求項５９】
靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きく、靴は、表１で説明される女性用靴寸法のうちのいずれかから選択された女性用靴寸法を有し、Ｄ、Ｔ、Ｗ、およびＭに対する値は前記選択された女性用靴寸法に対して表３に与えられた、請求項１〜３０のいずれか１項に記載の靴。
【請求項６０】
女性の足を受容するための内側部分であって、爪先キャビティおよびヒールキャビティを備える内側部分を形成するアッパーと、
（i）爪先端部、（ii）ヒール端部、（iii）内側側部、および（iv）外側側部を有するミッドソールであって、ミッドソールの外辺部は前記アッパーに縫い合わされ、それにより第１シームにより囲まれた前記内側部分に対する底部が形成される、ミッドソールと、  前記ミッドソールの第１表面のヒール部分に縫い合わされたヒールアウトソールパッチと、
前記ミッドソールの前記第１表面の爪先部分に縫い合わされた爪先アウトソールパッチと、
前記内側部分の前記底部に固定されたインソールと、を備える靴であって、
（Ａ）（i）前記ミッドソールの前記第１表面の前記ヒール部分に縫い合わされた前記
ヒールアウトソールパッチと、（ii）前記ミッドソールの前記第１表面の前記爪先部分に縫い合わされた前記爪先アウトソールパッチと、の間に間隔が存在し、前記間隔は、前記内側側部から前記外側側部まで延長し、前記爪先端部と前記ヒール端部との中間の位置を占め、それにより前記靴の全体が前記内側側部と前記外側側部との間に延びる前記間隙における軸を中心に折り畳みが可能であり、
（Ｂ）前記靴は、（i）前記ヒールアウトソールパッチと前記爪先アウトソールパッチ
とが同一平面上または略同一平面上にある伸展状態と、（ii）前記爪先キャビティを含む前記アッパーの部分が前記ヒールキャビティに押し込まれるよう靴が前記軸を中心に折り曲げられた折畳状態と、の間で折り畳まれるよう構成され、
（Ｃ）靴は最大アウトソール比ＯＲを有し、ただし、
ＯＲ＝（Ｄ×Ｔ×Ｗ）／Ｍ
であって、式中、
Ｄは、前記ミッドソールの前記第１表面の前記爪先部分に前記アウトソールパッチを縫い合わせるために用いられる前記爪先アウトソールパッチにおける溝部の平均深度であり、
Ｔは前記爪先アウトソールパッチの平均厚みであり、
Ｗは前記爪先アウトソールパッチの最大幅であり、
Ｍは、前記爪先アウトソールパッチの最大幅の点における前記ミッドソールの幅であり、ただしＭはＷより大きく、靴の前記ＯＲ比は７．０より大きく、靴は、表１で説明される女性用靴寸法のうちのいずれかから選択された女性用靴寸法を有し、Ｄ、Ｔ、Ｗ、およびＭに対する値は前記選択された女性用靴寸法に対して表３に与えられた、靴。
【請求項６１】
前記第２縁部の第２部分は、その深度を小さくするために削られたアキレス領域により特徴付けられる、請求項１４に記載の靴。
【請求項６２】
前記アッパーは（i）第１端部、（ii）第２端部、（iii）第１縁部、および（iv）第２縁部を有する一体として形成され、
前記第１端部および前記第２端部は前記ヒールキャビティにおいて第２シームによって一体化され、
前記第１縁部は前記ミッドソールの前記外辺部に縫い合わされ、それにより前記内側部分に対する前記底部が形成され、
前記第２縁部の第１部分は弾性制限部により特徴付けられ、前記第２縁部の前記第１部分は前記ヒールキャビティまで延長せず、
前記第２縁部の第２部分は、その深度を小さくするために削られたアキレス領域により特徴付けられる、請求項３８に記載の靴。
【請求項６３】
前記アッパーは（i）第１端部、（ii）第２端部、（iii）第１縁部、および（iv）第２縁部を有する一体として形成され、
前記第１端部および前記第２端部は前記ヒールキャビティにおいて第２シームによって一体化され、
前記第１縁部は前記ミッドソールの前記外辺部に縫い合わされ、それにより前記内側部分に対する前記底部が形成され、
前記第２縁部の第１部分は弾性制限部により特徴付けられ、前記第２縁部の前記第１部分は前記ヒールキャビティまで延長せず、前記弾性制限部は接着剤を用いることなく靴に縫い付けられる、請求項１に記載の靴。
【請求項６４】
前記アッパーは（i）第１端部、（ii）第２端部、（iii）第１縁部、および（iv）第２縁部を有する一体として形成され、
前記第１端部および前記第２端部は前記ヒールキャビティにおいて第２シームによって一体化され、
前記第１縁部は前記ミッドソールの前記外辺部に縫い合わされ、それにより前記内側部分に対する前記底部が形成され、
前記第２縁部の第１部分は弾性制限部により特徴付けられ、前記第２縁部の前記第１部分は前記ヒールキャビティまで延長せず、前記弾性制限部は接着剤を用いることなく靴に縫い付けられる、請求項３８に記載の靴。
【請求項６５】
前記ミッドソールは前記ミッドソールの露出されない部分に固定された柔軟性材料を用いて補強される、請求項１に記載の靴。
【請求項６６】
前記ミッドソールは前記ミッドソールの露出されない部分に固定された柔軟性材料を用いて補強される、請求項３８に記載の靴。
【請求項６７】
前記内側部分の前記底部は発泡インレイをさらに備え、前記インソールは接着剤により前記発泡インレイに固定され、硬質インサートが前記発泡インレイと前記ミッドソールとの間に挿入される、請求項１に記載の靴。
【請求項６８】
前記内側部分の前記底部は発泡インレイをさらに備え、前記インソールは接着剤により前記発泡インレイに固定され、硬質インサートが前記発泡インレイと前記ミッドソールとの間に挿入される、請求項３８に記載の靴。